(57)【要約】【課題】電線分岐部の大きさに関わらず電線分岐部を収容でき、しかも、極力コンパクト化が図れる分岐プロテクタ、及び、これを用いたワイヤーハーネスを提供する。【解決手段】上面側が開口され、電線分岐部ＷＤを収容する電線収容室６と電線収容室６より各電線Ｗがそれぞれ引き出される少なくとも３つの電線引出口７，８を有する分岐プロテクタ本体２と、電線収容室６の上面側の開口より電線収容室６に収容された電線分岐部ＷＤに載置され、電線収容室６の上面側を閉塞するカバー１０とを備えている。【選択図】図４
2019017197.tif 000002
【特許請求の範囲】
【請求項１】
上面側が開口され、電線分岐部を収容する電線収容室と前記電線収容室より前記各電線がそれぞれ引き出される少なくとも３つの電線引出口を有する分岐プロテクタ本体と、
前記電線収容室の上面側の開口より前記電線収容室に収容された前記電線の電線分岐部に載置され、前記電線収容室の上面側を閉塞するカバーとを備えたことを特徴とする分岐プロテクタ。
【請求項２】
請求項１記載の分岐プロテクタであって、
前記電線収容室は、底壁と側壁に囲まれて形成され、
前記各電線引出口は、前記側壁と前記底壁の少なくともいずれか一方に形成され、
前記カバーは、前記電線収容室に収容された前記電線分岐部に載置された状態で、前記各電線引出口の上面側を閉塞することを特徴とする分岐プロテクタ。
【請求項３】
請求項１又は請求項２に記載の分岐プロテクタであって、
前記分岐プロテクタ本体と前記カバーの少なくともいずれか一方には、前記電線引出口より前記電線の配策方向に突出する電線固定用突出部が設けられていることを特徴とする分岐プロテクタ。
【請求項４】
請求項１〜請求項３のいずれかに記載の分岐プロテクタであって、
前記分岐プロテクタ本体の前記底壁には、車体用固定部が設けられていることを特徴とする分岐プロテクタ。
【請求項５】
請求項４記載の分岐プロテクタであって、
前記分岐プロテクタ本体には、前記底壁から前記電線収容室に突出する突起部が設けられていることを特徴とする分岐プロテクタ。
【請求項６】
請求項１〜請求項５のいずれかに記載の分岐プロテクタであって、
前記カバーには、前記電線収容室の上面側の開口形状とほぼ同じ形状を有し、前記電線収容室の前記側壁の内面に対向する周縁に、姿勢保持壁が設けられていることを特徴とする分岐プロテクタ。
【請求項７】
請求項１〜請求項６のいずれかに記載の分岐プロテクタを備えたことを特徴とするワイヤーハーネス。
【請求項８】
請求項７に記載のワイヤーハーネスであって、
前記電線固定用突出部と前記電線には、拘束テープが一括して巻き付けされていることを特徴とするワイヤーハーネス。
【発明の詳細な説明】
【技術分野】
【０００１】
本発明は、電線の電線分岐部を保護する分岐プロテクタ、及び、これを用いたワイヤーハーネスに関する。
【背景技術】
【０００２】
従来の分岐プロテクタとして、特許文献１に開示されたものが提案されている。この分岐プロテクタ１００は、図１８及び図１９に示すように、電線収容室１０１ａを有する分岐プロテクタ本体１０１と、この分岐プロテクタ本体１０１に装着されるカバー１１０とを有する。
【０００３】
電線収容室１０１ａは、底壁１０２と一対の側壁１０３に囲まれ、上面側が開口された電線収容室１０１ａが形成されている。一対の側壁１０３の両端には、２つの電線引出口１０４が設けられている。一方の側壁１０３の中央位置（側壁１０３の両端の間の位置）には、１つの電線引出口１０５が設けられている。電線収容室１０１ａには、電線分岐部（図示せず）が収容されている。電線分岐部は、幹線Ｗ１より１本の枝線Ｗ２が分岐されている。これにより、電線分岐部からは、２本の幹線Ｗ１と１本の枝線Ｗ２が異なる方向に延びている。２本の幹線Ｗ１は、両端の電線引出口１０４よりそれぞれ外部に引き出されている。１本の枝線Ｗ２は、中央位置の電線引出口１０５より外部に引き出されている。
【０００４】
カバー１１０は、分岐プロテクタ本体１０１への装着状態で、電線収容室１０１ａの上面を閉塞する。
【０００５】
この従来例では、分岐プロテクタ本体１０１とカバー１１０で覆われる電線収容室１０１ａに電線分岐部が収容することによって、電線分岐部を保護している。
【先行技術文献】
【特許文献】
【０００６】
【特許文献１】特許第５２１７８７３号公報
【発明の概要】
【発明が解決しようとする課題】
【０００７】
しかしながら、前記従来例の分岐プロテクタ１００では、電線収容室１０１ａの収容容量が一定である。そのため、電線分岐部の大きさ（電線径の大小、電線の本数によって変化）が分岐プロテクタ１００の収容容量より小さいと無駄なスペースが電線収容室１０１ａ内に形成されることになる。従って、分岐プロテクタ１００のコンパクト化が図れないという問題があった。
【０００８】
そこで、本発明は、前記した課題を解決すべくなされたものであり、電線分岐部の大きさに関わらず電線分岐部を収容でき、しかも、極力コンパクト化が図れる分岐プロテクタ、及び、これを用いたワイヤーハーネスを提供することを目的とする。
【課題を解決するための手段】
【０００９】
本発明は、上面側が開口され、電線分岐部を収容する電線収容室と前記電線収容室より前記各電線がそれぞれ引き出される少なくとも３つの電線引出口を有する分岐プロテクタ本体と、前記電線収容室の上面側の開口より前記電線収容室に収容された前記電線分岐部に載置され、前記電線収容室の上面側を閉塞するカバーとを備えたことを特徴とする分岐プロテクタです。
【発明の効果】
【００１０】
本発明によれば、電線収容室に収容された電線分岐部上にカバーが載置されるため、電線分岐部の大きさに関わらず電線分岐部を収容でき、しかも、電線収容室に無駄なスペースが出来ない。以上より、電線分岐部の大きさに関わらず電線の分岐部を収容でき、しかも、極力コンパクト化が図れる。
【図面の簡単な説明】
【００１１】
【図１】本発明の第１実施形態を示し、分岐プロテクタの分解斜視図である。
【図２】本発明の第１実施形態を示し、カバーを分岐プロテクタ本体内に配置した状態を示す斜視図である。
【図３】本発明の第１実施形態を示し、カバーを分岐プロテクタ本体内に配置した状態を底面側から見た斜視図である。
【図４】本発明の第１実施形態を示し、分岐プロテクタ本体内に電線分岐部を収容した斜視図である。
【図５】本発明の第１実施形態を示し、分岐プロテクタ本体に収容された電線分岐部上にカバーを落とし込んだ状態を示す斜視図である。
【図６】本発明の第１実施形態を示し、分岐プロテクタより引き出された幹線及び枝線にテープ巻きした状態を示す斜視図である。
【図７】本発明の第１実施形態を示し、カバーが正常に嵌っていることを目視で確認できることを示す斜視図である。
【図８】本発明の第１実施形態を示し、分岐プロテクタの要部断面図である。
【図９】本発明の第２実施形態を示し、分岐プロテクタの分解斜視図である。
【図１０】本発明の第２実施形態を示し、分岐プロテクタの要部断面図である。
【図１１】本発明の第３実施形態を示し、分岐プロテクタの分解斜視図である。
【図１２】本発明の第３実施形態を示し、カバーを分岐プロテクタ本体内に配置した状態を示す斜視図である。
【図１３】本発明の第３実施形態を示し、３方向に電線が延びる電線分岐部に使用する場合を示す斜視図である。
【図１４】本発明の第４実施形態を示し、分岐プロテクタの分解斜視図である。
【図１５】本発明の第４実施形態を示し、カバーを分岐プロテクタ本体内に配置した状態を示す斜視図である。
【図１６】本発明の第５実施形態を示し、分岐プロテクタの分解斜視図である。
【図１７】本発明の第５実施形態を示し、カバーを分岐プロテクタ本体内に配置した状態を示す斜視図である。
【図１８】従来例を示し、分岐プロテクタの分解斜視図である。
【図１９】従来例を示し、分岐プロテクタの組付け状態の斜視図である。
【発明を実施するための形態】
【００１２】
以下、本発明の実施形態を図面に基づいて説明する。
【００１３】
（第１実施形態）
図１〜図８は本発明の第１実施形態を示す。ワイヤーハーネスは、所定の配策経路に沿って配策される電線（電線束）Ｗと、電線Ｗの電線分岐部ＷＤを保護する分岐プロテクタ１Ａとを備えている。電線分岐部ＷＤは、図４に示すように、幹線Ｗ１より１本の枝線Ｗ２が分岐されている。つまり、電線分岐部ＷＤは、２本の幹線Ｗ１と１本の枝線Ｗ２が異なる方向に延びる３分岐である。この３分岐の電線分岐部ＷＤを保護する分岐プロテクタ１Ａについて説明する。
【００１４】
図１〜図３に示すように、分岐プロテクタ１Ａは、分岐プロテクタ本体２とカバー１０とを備えている。分岐プロテクタ本体２は、底壁３と底壁３の両側端より立設された一対の側壁４，５とを有する。分岐プロテクタ本体２には、底壁３と一対の側壁４に囲まれ、上面側が開口された電線収容室６が形成されている。一対の側壁４，５の長手方向の両端には、それぞれ電線引出口７が形成されている。一方の側壁４は、その中央箇所（側壁４の両端の間の位置）に一対の側壁突部４ａを有し、この一対の側壁突部４ａの先端に電線引出口８が形成されている。つまり、この第１実施形態では、分岐プロテクタ本体２の側壁４，５には、３つの電線引出口７，８が形成されている。
【００１５】
電線収容室６には、図４に示すように、電線（電線束）Ｗの電線分岐部ＷＤが収容される。一対の側壁４，５の両端の２つの電線引出口７からは、幹線Ｗ１の両側がそれぞれ外部に引き出されている。一方の側壁４の中央箇所の電線引出口８からは、１本の枝線Ｗ２が外部に引き出されている。
【００１６】
底壁３には、各電線引出口７，８より幹線Ｗ１と枝線Ｗ２の各配策方向に突出する電線固定用突出部９がそれぞれ設けられている。各電線固定用突出部９は、突出方向に沿って交互に凹凸を繰り返す蛇腹形状に形成されている。
【００１７】
底壁３には、外面側にクリップ装着部３ａが設けられている。クリップ装着部３ａには、車体用固定部であるクリップ２０が取り付けられている。
【００１８】
カバー１０は、電線収容室６の上面側の開口より電線収容室６に挿入される。カバー１０は、電線収容室６に収容された電線分岐部ＷＤの上面に載置されている。
【００１９】
カバー１０は、平板状のカバー本体１１とこのカバー本体１１の周縁に設けられた姿勢保持壁１２とを有する。カバー本体１１は、電線収容室６とこれに連続する３つの電線引出口７，８を含めた上面側の開口形状とほぼ同じ形状に形成されている。
【００２０】
姿勢保持壁１２は、カバー本体１１から下方に垂直方向に延びている。姿勢保持壁１２は、電線収容室６内に位置させた状態（図２、図５の位置）では、電線収容室６及び各電線引出口７，８の各側壁４，５の内面に接触、若しくは、近接する位置となる。
【００２１】
カバー本体１１には、各電線引出口７，８より幹線Ｗ１及び枝線Ｗ２の各配策方向に突出する電線固定用突出部１３がそれぞれ設けられている。各電線固定用突出部１３は、突出方向に沿って交互に凹凸を繰り返す蛇腹形状に形成されている。
【００２２】
次に、分岐プロテクタ１Ａの組付け作業を説明する。図４に示すように、分岐プロテクタ本体２の電線収容室６にその上面側の開口より電線分岐部ＷＤを収容する。電線Ｗの幹線Ｗ１は、一対の側壁４，５の両端の電線引出口７よりそれぞれ引き出す。電線Ｗの枝線Ｗ２は、一方の側壁４の中央箇所の電線引出口８より引き出す。
【００２３】
次に、図５に示すように、カバー１０を電線収容室６の上方に配置し、電線収容室６に落とし込むことで挿入する。尚、カバー１０が寸法誤差等によって電線収容室６に落下しない場合には上から押圧力を作用させて挿入する。
【００２４】
カバー１０は、電線分岐部ＷＤ上に載置された状態で電線収容室６に配置される。各電線引出口７，８より引き出された幹線Ｗ１と枝線Ｗ２は、その下方側に分岐プロテクタ本体２の電線固定用突出部９が配置され、その上方側にカバー１０の各電線固定用突出部１３が配置される。
【００２５】
次に、図６に示すように、分岐プロテクタ１Ａの各電線引出口７，８の箇所、及び、電線各電線引出口７，８より引き出された幹線Ｗ１と枝線Ｗ２に拘束テープＴを巻き付ける。
【００２６】
詳細には、拘束テープＴは、上下一対の電線固定用突出部９，１３の根元箇所の分岐プロテクタ本体２とカバー１０の箇所とを一括して巻き付け、上下一対の電線固定用突出部９，１３を配置された範囲では、上下一対の電線固定用突出部９．１３と幹線Ｗ１、及び、上下一対の電線固定用突出部９．１３と枝線Ｗ２をそれぞれ一括して巻き付け、一対の電線固定用突出部９，１３の先端より更に引き出された幹線Ｗ１及び枝線Ｗ２の箇所では、幹線Ｗ１及び枝線Ｗ２の各外周にそれぞれ隙間なく巻き付ける。拘束テープＴの巻き付けによって、分岐プロテクタ１Ａの組付け作業が完了する。
【００２７】
以上説明したように、分岐プロテクタ１Ａは、上面側が開口され、電線分岐部ＷＤを収容する電線収容室６と電線収容室６より各電線Ｗがそれぞれ引き出される少なくとも３つの電線引出口７，８を有する分岐プロテクタ本体２と、電線収容室６の上面側の開口より電線収容室６に収容された電線分岐部ＷＤに載置され、電線収容室６の上面側を閉塞するカバー１０とを備えている。
【００２８】
従って、電線収容室６に収容された電線分岐部ＷＤ上にカバー１０が載置されるため、電線分岐部ＷＤの大きさに関わらず電線分岐部ＷＤを収容でき、しかも、電線収容室６に無駄なスペースが出来ない。以上より、電線分岐部ＷＤの大きさに関わらず電線分岐部ＷＤを収容でき、しかも、極力コンパクト化が図れる。換言すれば、電線収容室６が電線分岐部ＷＤの大きさに応じた収容容量になるため、電線分岐部ＷＤの大きさに応じて分岐プロテクタ１Ａのコンパクト化が図れる。
【００２９】
例えば、分岐プロテクタ１Ａの最大収容容量に較べて、電線分岐部ＷＤの大きさ（電線径の大小、電線の本数によって変化）が小さい場合には、図８に示すように、分岐プロテクタ本体２に装着されたカバー１０上に外部スペースＳが形成される。この外部スペースＳ分だけ分岐プロテクタ１Ａのコンパクト化が図れる。カバー１０上の外部スペースＳを別部品の設置スペ−ス等に利用できる。
【００３０】
又、従来例では、電線収容室１０１ａの収容容量より電線分岐部（図示せず）が小さいと、電線収容室１０１ａ内に余分なスペースができて、電線分岐部（図示せず）が分岐プロテクタ１００内で移動（振動）し、電線分岐部（図示せず）がダメージを受ける恐れがあった。これに対し、この実施形態では、電線分岐部ＷＤが分岐プロテクタ１Ａ内で移動（振動）し、電線分岐部ＷＤがダメージを受けることもない。
【００３１】
カバー１０は、分岐プロテクタ本体２の一対の側壁４，５間に落とし込む（挿入する）ことにより、カバー１０が分岐プロテクタ本体２の所定の装着位置になる。従って、カバー１０が落とし込まれた後に、図７に示すように、カバー１０が一対の側壁４，５の間に嵌っていることを目視で確認することができるため、品質向上を図ることができる。
【００３２】
ところで、電線分岐部ＷＤの外周をテープ巻きのみで保護する場合には、テープ巻きにより電線Ｗが締め付けられることで、隣りの電線分岐部（図示せず）までの電線長さに対して寸法精度が出ないという事態が発生する恐れがあった。しかし、この第１実施形態では、電線分岐部ＷＤは分岐プロテクタ１Ａ内に収容されることで保護されるので、隣りの電線分岐部（図示せず）までの電線長さに対して寸法精度で出る。
【００３３】
分岐プロテクタ本体２とカバー１０には、電線引出口７，８より電線Ｗの配策方向に突出する電線固定用突出部９，１３がそれぞれ設けられている。従って、電線固定用突出部９，１３を電線Ｗ（幹線Ｗ１、枝線Ｗ２）と共に一括して拘束テープＴで巻き付けることによって分岐プロテクタ１Ａと電線Ｗ（幹線Ｗ１、枝線Ｗ２）を強固に固定できる。
【００３４】
分岐プロテクタ本体２とカバー１０の各電線固定用突出部９，１３は、蛇腹形状に形成されている。従って、分岐プロテクタ１Ａより引き出された電線Ｗ（幹線Ｗ１、枝線Ｗ２）は、電線Ｗ（幹線Ｗ１、枝線Ｗ２）の配策方向の上下方向に容易に撓み変形できるため、配策方向の自由度が高く、又、配策作業性が良い。
【００３５】
カバー１０には、電線収容室６の上面側の開口形状とほぼ同じ形状を有し、電線収容室６の側壁４，５の内面に近接対向する姿勢保持壁１２が設けられている。従って、電線収容室６の上面側の開口よりカバー１０を電線収容室６に落とし込む（挿入）際に、カバー１０の落下姿勢が姿勢保持壁１２によって保持されるため、カバー１０が傾斜することなく電線収容室６の電線分岐部ＷＤ上に落下し、電線分岐部ＷＤ上に載置される。
【００３６】
姿勢保持壁１２は、カバー本体１１より下方に垂直方向に延びている。従って、カバー本体１１より上方に突出しないため、分岐プロテクタ本体２に装着されたカバー１０上に形成できる外部スペースＳを確保しつつ、カバー１０の落下時の傾斜を防止できる。
【００３７】
分岐プロテクタ本体２には、クリップ２０が設けられている。従って、分岐プロテクタ１Ａをクリップ２０を用いて容易に車体に固定できる。
【００３８】
図８に示すように、カバー１０からの荷重が電線分岐部ＷＤを介してクリップ２０に伝達され易いため、車体への固定作業が容易である。
【００３９】
（第２実施形態）
図９及び図１０は、本発明の第２実施形態を示す。第２実施形態の分岐プロテクタ１Ｂは、前記第１実施形態のものと比較するに、電線収容室６に突出する突起部２１が底壁３に設けられている。突起部２１は、クリップ２０の真上位置に設けられている。突起部２１は、電線分岐部ＷＤの想定高さとほぼ同じ高さに設定されている。つまり、分岐プロテクタ本体２に装着されたカバー１０の下面に当接、若しくは、カバー１０の下面近くにまで達する寸法である。突起部２１は、円柱形状である。
【００４０】
突起部２１は、電線分岐部ＷＤが電線収容室６に収容された状態では、電線分岐部ＷＤを串刺しした状態で配置される。
【００４１】
他の構成は、前記第１実施形態と同一であるため、図面の同一構成箇所には同一符号を付して説明を省略する。
【００４２】
この第２実施形態でも、前記第１実施形態と同様に、電線収容室６に収容された電線分岐部ＷＤ上にカバー１０が載置されるため、電線分岐部ＷＤの大きさに関わらず電線分岐部ＷＤを収容でき、しかも、電線収容室６に無駄なスペースが出来ない。以上より、電線分岐部ＷＤの大きさに関わらず電線分岐部ＷＤを収容でき、しかも、極力コンパクト化が図れる。
【００４３】
分岐プロテクタ本体２には、底壁３から電線収容室６に突出する突起部２１が設けられている。従って、前記第１実施形態と比較した場合よりも更に、カバー１０からの荷重が突起部２１を介してクリップ２０により伝達され易いため、車体への固定作業がより容易になる。突起部２１は、クリップ２０の真上位置であるため、カバー１０からの荷重が突起部２１を介してクリップ２０に更に伝達され易いため、車体への固定作業が更に容易になる。電線分岐部ＷＤの大きさが想定より小さい場合には、突起部２１がカバー１０に干渉しないように短く切断して使用する。
【００４４】
突起部２１は、電線分岐部ＷＤに串刺し状態に配置される。従って、突起部２１が電線分岐部ＷＤと分岐プロテクタ本体２との固定部としても機能し、又、電線収容室６内における電線分岐部ＷＤの位置決め部としても機能する。
【００４５】
突起部２１は、円柱形状である。従って、エッジのない円柱形状であるため、エッジによって電線Ｗを損傷することがない。
【００４６】
（第３実施形態）
図１１〜図１３は、本発明の第３実施形態を示す。第３実施形態の分岐プロテクタ１Ｃは、前記第１実施形態のものと比較するに、４つの電線引出口７，８を有する。つまり、他方の側壁５にも一対の側壁突部５ａが設けられ、一対の側壁突部５ａの先端に電線引出口８が設けられている。
【００４７】
分岐プロテクタ１Ｃは、４本の電線（この実施形態では、２本の幹線と２本の枝線）が異なる方向に延びている電線分岐部を保護できる。
【００４８】
他の構成は、前記第１実施形態と同一であるため、図面の同一構成箇所には同一符号を付して説明を省略する。
【００４９】
この第３実施形態でも、前記第１実施形態と同様に、電線収容室６に収容された電線分岐部（図示せず）上にカバー１０が載置されるため、電線分岐部（図示せず）の大きさに関わらず電線分岐部（図示せず）を収容でき、しかも、電線収容室６に無駄なスペースが出来ない。以上より、電線分岐部（図示せず）の大きさに関わらず電線分岐部（図示せず）を収容でき、しかも、極力コンパクト化が図れる。
【００５０】
図１３に示すように、第３実施形態の分岐プロテクタ１Ｃは、３本の電線（２本の幹線Ｗ１と１本の枝線Ｗ２）が異なる方向に延びている電線分岐部（図示せず）の保護にも使用できる。この場合、１つの電線引出口８を使用しないため、使用しない電線引出口８を電線固定用突出部９，１３で塞ぐ。例えば、分岐プロテクタ本体２側の電線固定用突出部９を切断し、カバー１０側の電線固定用突出部１３を撓ませて電線引出口８を塞ぎ、撓み変形した電線固定用突出部１３を拘束テープＴで分岐プロテクタ本体２に固定する。
【００５１】
（第４実施形態）
図１４及び図１５は、本発明の第４実施形態を示す。第４実施形態の分岐プロテクタ１Ｄは、前記第１実施形態のものと比較するに、次の点で異なる。つまり、カバー１０側の各電線引出口７より幹線（図示せず）の配策方向に突出する電線固定用突出部１３は、前記第１実施形態と同様に設けられている。しかし、カバー１０側の電線引出口８より枝線（図示せず）の配策方向に突出する電線固定用突出部が設けられていない。
【００５２】
他の構成は、前記第１実施形態と同一であるため、図面の同一構成箇所には同一符号を付して説明を省略する。
【００５３】
分岐プロテクタ１Ｄより引き出された枝線（図示せず）は、分岐プロテクタ本体２側の電線固定用突出部９と一括してテープ巻きされる。
【００５４】
この第４実施形態でも、前記第１実施形態と同様に、電線収容室６に収容された電線分岐部（図示せず）上にカバー１０が載置されるため、電線分岐部（図示せず）の大きさに関わらず電線分岐部（図示せず）を収容でき、しかも、電線収容室６に無駄なスペースが出来ない。以上より、電線分岐部（図示せず）の大きさに関わらず電線分岐部（図示せず）を収容でき、しかも、極力コンパクト化が図れる。
【００５５】
枝線用の電線固定用突出部９は、分岐プロテクタ本体２側にのみ設けられているため、幹線Ｗ１の全体径と比べて枝線Ｗ２の全体径が非常に小さい場合に、テープ巻きし易い。
【００５６】
（第５実施形態）
図１６及び図１７は、本発明の第５実施形態を示す。第５実施形態の分岐プロテクタ１Ｅは、前記第１実施形態のものと比較するに、次の点で異なる。つまり、カバー１０側の各電線引出口７より幹線（図示せず）の配策方向に突出する電線固定用突出部１３は、前記第１実施形態と同様に設けられている。しかし、前記第４実施形態と同様に、カバー１０側の電線引出口８より枝線（図示せず）の配策方向に突出する電線固定用突出部が設けられていない。
【００５７】
また、分岐プロテクタ本体２側の電線引出口８より枝線（図示せず）の配策方向に突出する電線固定用突出部９は、蛇腹状ではなく、可撓性のロッド９ａである。可撓性のロッド９ａには、間隔を置いて球状突部９ｂが突設されている。
【００５８】
他の構成は、前記第１実施形態と同一であるため、図面の同一構成箇所には同一符号を付して説明を省略する。
【００５９】
分岐プロテクタ１Ｅより引き出された枝線（図示せず）は、分岐プロテクタ本体２側の電線固定用突出部９によってテープ巻きされる。
【００６０】
この第５実施形態でも、前記第１実施形態と同様に、電線収容室６に収容された電線分岐部（図示せず）上にカバー１０が載置されるため、電線分岐部（図示せず）の大きさに関わらず電線分岐部（図示せず）を収容でき、しかも、電線収容室６に無駄なスペースが出来ない。以上より、電線分岐部（図示せず）の大きさに関わらず電線分岐部（図示せず）を収容でき、しかも、極力コンパクト化が図れる。
【００６１】
枝線用の電線固定用突出部９は、分岐プロテクタ本体２側にのみ設けられているため、幹線Ｗ１の全体径と比べて枝線Ｗ２の全体径が非常に小さい場合に、テープ巻きし易い。
【００６２】
枝線用の電線固定用突出部９は、可撓性のロッド９ａであるため、上下方向ＵＤのみならず左右方向ＬＲにも容易に撓み変形できる。従って、電線引出口８より引き出された枝線（図示せず）の配策方向を３次元的に変移でき、前記第１〜第４実施形態に較べて、更に組付け作業性が良く、更に配策自由度も高い。
【００６３】
枝線用の電線固定用突出部９は、間隔を置いて球状突部９ｂを有する。従って、球状突部９ｂに食い込むようにして拘束テープ（図示せず）が巻き付けされるため、枝線（図示せず）と分岐プロテクタ１Ｅを強固に固定できる。
【００６４】
（変形例）
前記各実施形態では、電線Ｗの外周に直接拘束テープＴを巻き付けたが、電線Ｗにコルゲートチューブを装着する場合には、コルゲートチューブの上から拘束テープＴを巻き付ける。
【００６５】
前記第１〜第３実施形態では、分岐プロテクタ本体２とカバー１０の双方に、電線引出口７，８より電線Ｗの配策方向に突出する電線固定用突出部９，１３が設けられている。分岐プロテクタ本体２とカバー１０のいずれか一方に（第４、第５実施形態は、その具体例）、電線引出口７，８より電線Ｗの配策方向に突出する電線固定用突出部９，１３を設けても良い。この場合は、場合によっては分岐プロテクタ本体２とカバー１０の間を固定する手段を設ける必要がある。
【００６６】
前記各実施形態では、電線固定用突出部９，１３を電線Ｗ（幹線Ｗ１、枝線Ｗ２）と共に一括して拘束テープＴで巻き付けることによって分岐プロテクタ１Ａ〜１Ｃと電線Ｗ（幹線Ｗ１、枝線Ｗ２）を固定したが、電線固定用突出部９，１３を電線Ｗ（幹線Ｗ１、枝線Ｗ２）と共に一括して結束バンドで締結することによって分岐プロテクタ１Ａ〜１Ｃと電線Ｗ（幹線Ｗ１、枝線Ｗ２）を固定しても良い。
【００６７】
前記各実施形態では、各電線引出口７，８は、側壁４，５に設けられているが、底壁３に設けても良く、又、側壁４，５と底壁３に亘って設けても良い。
【００６８】
前記各実施形態では、電線引出口７、８より単一の電線（電線束）Ｗを引き出しているが、複数の電線（電線束）を引き出しても良い。例えば、電線引出口８より１本の枝線（電線束）Ｗ２を引き出しているが、複数本の枝線（電線束）Ｗ２を引き出しても良い。ここで、単一の電線（電線束）Ｗとは、同じ配策経路に沿って配策されるものをいう。
【符号の説明】
【００６９】
１Ａ〜１Ｅ  分岐プロテクタ
２  分岐プロテクタ本体
３  底壁
４，５  側壁
６  電線収容室
７，８  電線引出口
９，１３  電線固定用突出部
１０  カバー
１２  姿勢保持壁
２０  クリップ（車体用固定部）
２１  突起部
ＷＤ  電線分岐部
Ｗ  電線
Ｔ  拘束テープ
【図１】
2019017197.tif 000003
【図２】
2019017197.tif 000004
【図３】
2019017197.tif 000005
【図４】
2019017197.tif 000006
【図５】
2019017197.tif 000007
【図６】
2019017197.tif 000008
【図７】
2019017197.tif 000009
【図８】
2019017197.tif 000010
【図９】
2019017197.tif 000011
【図１０】
2019017197.tif 000012
【図１１】
2019017197.tif 000013
【図１２】
2019017197.tif 000014
【図１３】
2019017197.tif 000015
【図１４】
2019017197.tif 000016
【図１５】
2019017197.tif 000017
【図１６】
2019017197.tif 000018
【図１７】
2019017197.tif 000019
【図１８】
2019017197.tif 000020
【図１９】
2019017197.tif 000021